【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】
少なくとも１つの光源と、前記光源から出射された発散光の発散角を変換するカップリング光学系と、前記カップリング光学系からの光束を光情報記録媒体の情報記録媒面に集光する対物レンズ光学系とを備えている光ピックアップ装置において、
前記対物レンズ光学系に所定の波長の光とは所定の波長差だけ異なる波長の光を入射させた際の軸上色収差に対して、前記カップリング光学系に前記所定の波長差だけ異なる波長の光を入射させて前記対物レンズ光学系を介した際の軸上色収差を小さくする回折面を、前記カップリング光学系の少なくとも１つの面に設けたことを特徴とする光ピックアップ装置。
【請求項２】
前記対物レンズ光学系が２枚のレンズからなり、前記２枚のレンズに少なくとも１面の非球面屈折面が含まれていることを特徴とする請求項１に記載の光ピックアップ装置。
【請求項３】
前記対物レンズ光学系の光情報記録媒体側の開口数が０．６５以上であることを特徴とする請求項２に記載の光ピックアップ装置。
【請求項４】
前記光源の波長λが４５０ｎｍ以下であるとともに、前記回折面が略同心円状の回折パターンを有しており、前記回折パターンの最小ピッチΛminが、２λ＜Λmin＜３０λを満たす値であることを特徴とする請求項１〜３のいずれか１項に記載の光ピックアップ装置。
【請求項５】
請求項１〜４のいずれか１項に記載の光ピックアップ装置に適用可能であることを特徴とする光ピックアップ用光学系。
【請求項６】
請求項５に記載の光ピックアップ用光学系に適用可能であることを特徴とするカップリング光学系。
【請求項７】
略同心円状の回折パターンをもつ回折面を少なくとも一方の面に有しており、前記回折パターンの最小ピッチΛminが０．４μｍ＜Λmin＜１３．５μｍを満たす値であることを特徴とするカップリング光学系用レンズ。
【請求項８】
波長λが４００ｎｍの光を入射させた際に、焦点距離ｆが２ｍｍ＜ｆ＜２５ｍｍを満足する値であることを特徴とする請求項７に記載のカップリング光学系用レンズ。
【請求項９】
略同心円状の回折パターンをもつ回折面を少なくとも一方の面に有するレンズであって、前記レンズと同じ材料、同じ軸上厚、同じ焦点距離、および、同じバックフォーカスを有し且つ回折面をもたない屈折レンズと比較して軸上色収差の絶対値が大きく且つ符号が反対であることを特徴とするレンズ。
【請求項１０】
請求項９に記載のレンズを有することを特徴とするカップリング光学系。
【請求項１１】
請求項１〜４のいずれか１項に記載の光ピックアップ装置を搭載しており、音声および画像の少なくともいずれか一方を記録または再生することが可能であることを特徴とする記録再生装置。
【手続補正２】
【補正対象書類名】明細書
【補正対象項目名】００６３
【補正方法】変更
【補正の内容】
【００６３】
そこで、本発明の請求項１の光ピックアップ装置は、少なくとも１つの光源と、前記光源から出射された発散光の発散角を変換するカップリング光学系と、前記カップリング光学系からの光束を光情報記録媒体の情報記録媒面に集光する対物レンズ光学系とを備えている光ピックアップ装置において、前記対物レンズ光学系に所定の波長の光とは所定の波長差だけ異なる波長の光を入射させた際の軸上色収差に対して、前記カップリング光学系に前記所定の波長差だけ異なる波長の光を入射させて前記対物レンズ光学系を介した際の軸上色収差を小さくする回折面を、前記カップリング光学系の少なくとも１つの面に設けたことを特徴とするものである。
【手続補正３】
【補正対象書類名】明細書
【補正対象項目名】００６４
【補正方法】変更
【補正の内容】
【００６４】
このように、請求項１の光ピックアップ装置によると、カップリング光学系の少なくとも１つの面に回折面が設けられているので、回折面によって生じる軸上色収差を、対物レンズ光学系の屈折面によって生じる軸上色収差に対して、逆符号でかつ（１／ｍＴ）2倍の関係が成立するようにすれば、対物レンズ光学系によって発生する軸上色収差をカップリング光学系により補正することができる。カップリング光学系には、上述したような対物レンズ光学系についての種々の制限が存在しないので、カップリング光学系をプラスティックなどの樹脂材料によって射出成型などで製造することが可能となる。従って、光ピックアップ装置を低コストで容易に製造することができるようになる。
【手続補正４】
【補正対象書類名】明細書
【補正対象項目名】００６５
【補正方法】変更
【補正の内容】
【００６５】
つまり、請求項１の光ピックアップ装置によると、波長４００ｎｍ程度のＧａＮ青色半導体レーザのような単色性が悪い光源或いは波長が急激に変動する光源が用いられた場合であっても軸上色収差を補正することができる光ピックアップ装置を容易且つ低コストで製造可能となる。
【手続補正５】
【補正対象書類名】明細書
【補正対象項目名】００６６
【補正方法】削除
【補正の内容】
【手続補正６】
【補正対象書類名】明細書
【補正対象項目名】００６７
【補正方法】削除
【補正の内容】
【手続補正７】
【補正対象書類名】明細書
【補正対象項目名】００６８
【補正方法】削除
【補正の内容】
【手続補正８】
【補正対象書類名】明細書
【補正対象項目名】００６９
【補正方法】削除
【補正の内容】
【手続補正９】
【補正対象書類名】明細書
【補正対象項目名】００７０
【補正方法】削除
【補正の内容】
【手続補正１０】
【補正対象書類名】明細書
【補正対象項目名】００７１
【補正方法】削除
【補正の内容】
【手続補正１１】
【補正対象書類名】明細書
【補正対象項目名】００７２
【補正方法】削除
【補正の内容】
【手続補正１２】
【補正対象書類名】明細書
【補正対象項目名】００７３
【補正方法】変更
【補正の内容】
【００７３】
請求項２の光ピックアップ装置は、前記対物レンズ光学系が２枚のレンズからなり、前記２枚のレンズに少なくとも１面の非球面屈折面が含まれていることを特徴とするものである。
【手続補正１３】
【補正対象書類名】明細書
【補正対象項目名】００７４
【補正方法】削除
【補正の内容】
【手続補正１４】
【補正対象書類名】明細書
【補正対象項目名】００７５
【補正方法】変更
【補正の内容】
【００７５】
請求項３の光ピックアップ装置は、前記対物レンズ光学系の光情報記録媒体側の開口数が０．６５以上であることを特徴とするものである。
【手続補正１５】
【補正対象書類名】明細書
【補正対象項目名】００７６
【補正方法】削除
【補正の内容】
【手続補正１６】
【補正対象書類名】明細書
【補正対象項目名】００７７
【補正方法】削除
【補正の内容】
【手続補正１７】
【補正対象書類名】明細書
【補正対象項目名】００７８
【補正方法】削除
【補正の内容】
【手続補正１８】
【補正対象書類名】明細書
【補正対象項目名】００７９
【補正方法】削除
【補正の内容】
【手続補正１９】
【補正対象書類名】明細書
【補正対象項目名】００８０
【補正方法】削除
【補正の内容】
【手続補正２０】
【補正対象書類名】明細書
【補正対象項目名】００８１
【補正方法】削除
【補正の内容】
【手続補正２１】
【補正対象書類名】明細書
【補正対象項目名】００８２
【補正方法】変更
【補正の内容】
【００８２】
請求項４の光ピックアップ装置は、前記光源の波長λが４５０ｎｍ以下であるとともに、前記回折面が略同心円状の回折パターンを有しており、前記回折パターンの最小ピッチΛminが、２λ＜Λmin＜３０λを満たす値であることを特徴とするものである。
【手続補正２２】
【補正対象書類名】明細書
【補正対象項目名】００８３
【補正方法】変更
【補正の内容】
【００８３】
また、請求項５は、請求項１〜４のいずれか１項に記載の光ピックアップ装置に適用可能であることを特徴とする光ピックアップ用光学系である。
【手続補正２３】
【補正対象書類名】明細書
【補正対象項目名】００８４
【補正方法】変更
【補正の内容】
【００８４】
また、請求項６は、請求項５に記載の光ピックアップ用光学系に適用可能であることを特徴とするカップリング光学系である。
【手続補正２４】
【補正対象書類名】明細書
【補正対象項目名】００８５
【補正方法】削除
【補正の内容】
【手続補正２５】
【補正対象書類名】明細書
【補正対象項目名】００８６
【補正方法】変更
【補正の内容】
【００８６】
請求項７のカップリング光学系用レンズは、略同心円状の回折パターンをもつ回折面を少なくとも一方の面に有しており、前記回折パターンの最小ピッチΛminが０．４μｍ＜Λmin＜１３．５μｍを満たす値であることを特徴とするものである。
【手続補正２６】
【補正対象書類名】明細書
【補正対象項目名】００８７
【補正方法】削除
【補正の内容】
【手続補正２７】
【補正対象書類名】明細書
【補正対象項目名】００８８
【補正方法】変更
【補正の内容】
【００８８】
請求項８のカップリング光学系用レンズは、波長λが４００ｎｍの光を入射させた際に、焦点距離ｆが２ｍｍ＜ｆ＜２５ｍｍを満足する値であることを特徴とするものである。
【手続補正２８】
【補正対象書類名】明細書
【補正対象項目名】００８９
【補正方法】削除
【補正の内容】
【手続補正２９】
【補正対象書類名】明細書
【補正対象項目名】００９０
【補正方法】削除
【補正の内容】
【手続補正３０】
【補正対象書類名】明細書
【補正対象項目名】００９１
【補正方法】変更
【補正の内容】
【００９１】
また、請求項９は、略同心円状の回折パターンをもつ回折面を少なくとも一方の面に有するレンズであって、前記レンズと同じ材料、同じ軸上厚、同じ焦点距離、および、同じバックフォーカスを有し且つ回折面をもたない屈折レンズと比較して軸上色収差の絶対値が大きく且つ符号が反対であることを特徴とするレンズである。
【手続補正３１】
【補正対象書類名】明細書
【補正対象項目名】００９２
【補正方法】変更
【補正の内容】
【００９２】
請求項１０は、請求項９に記載のレンズを有することを特徴とするカップリング光学系である。
【手続補正３２】
【補正対象書類名】明細書
【補正対象項目名】００９３
【補正方法】変更
【補正の内容】
【００９３】
請求項１１は、請求項１〜４のいずれか１項に記載の光ピックアップ装置を搭載しており、音声および画像の少なくともいずれか一方を記録または再生することが可能であることを特徴とする記録再生装置である。